(57)【特許請求の範囲】
【請求項１】
バッテリー収納部とバッテリーとの間に隙間なく収納可能に形成したバッテリー収納部の底面に対して垂直方向のロック溝を有するバッテリーをバッテリー収納部の底面に対し垂直方向に装着するバッテリー着脱装置において、該バッテリーに設けられたロック溝に係合するロック部と、該ロック部と連動するロック部の固定と該ロック部を作動させてロック解除する固定および解除部を有し、
前記ロック部は、前記バッテリーに設けられたロック溝に係合するロック爪と、前記ロック爪を回転可能に支持する回転軸部と、該ロック溝とロック爪の係合が開放される方向に前記ロック爪を付勢するバネとで構成され、該ロック溝とロック爪の係合でバッテリーが装着され、
バッテリー着脱装置の底面に前記バッテリーを取り出す方向に付勢するバネを有することを特徴とするバッテリー着脱装置。
【発明の詳細な説明】
【技術分野】
【０００１】
本発明は、バッテリーを搭載する携帯機器やバッテリーを搭載し持ち運び可能の薄型表示装置などのバッテリー着脱装置に関する技術である。
【背景技術】
【０００２】
携帯用機器や薄型表示装置などの開発やバッテリーの小型長寿命化により、バッテリーを内蔵した機器が増加している。
これらの機器では、バッテリーの小型長寿命化は図られてはいるものの、表示装置を有するバッテリー駆動機器のバッテリーとして必要な駆動時間を有するためにはある程度のサイズが必要となり、安定したバッテリー収納としては凹状のバッテリー収納部を有する機器が多い。
【０００３】
凹状のバッテリー収納部を有する機器のバッテリー収納方法としては、特許文献１や特許文献２や特許文献３などが開示されている。
これら従来技術におけるバッテリーの基本的な装着方法に関し、図５、図６と共に説明する。
【０００４】
図５はバッテリー装着の断面図で、（ａ）はバッテリーを製品本体のバッテリー装着部に挿入した時の断面図、（ｂ）はバッテリーをバッテリー装着部に装着した時の断面図である。
【０００５】
図６はバッテリー装着の斜視図で、（ａ）はバッテリーを製品本体のバッテリー装着部に挿入し装着する動作を表す斜視図、（ｂ）はバッテリーをバッテリー装着部に装着完了した時の斜視図である。
【０００６】
図示された従来技術では、バッテリー８を製品本体のバッテリー装着部１０に矢印Ｇ方向から設置し（ａ）、矢印Ｆの方向にスライドさせることによりバッテリー８の嵌合爪８ａと製品本体のバッテリー装着部１０の嵌合爪１０ａが嵌合し、同時にバッテリー装着部１０のロック部１０ｂがバッテリー８のロック凹部８ｂと嵌合し、バッテリー８が固定される。
【特許文献１】実開昭６２- １９３６７０号公報
【特許文献２】特開２００１−２８５４３１号公報
【特許文献３】特開２００２−１６９６３０号公報
【発明の開示】
【発明が解決しようとする課題】
【０００７】
しかしながら、上述のようなバッテリー着脱機構では、製品本体にバッテリー収納開口部をバッテリー着脱時にバッテリーを移動させる空間を加え、バッテリーのサイズより大きく開ける必要があり、バッテリー装着時バッテリーと本体との間に隙間を生じるという問題を有している。また、同時にその隙間分に相当し、製品の小型化が妨げられるという問題も有している。
【０００８】
本発明は、そのような状況に鑑みてなされたもので、バッテリー着脱装置において意匠設計制限を緩和し、製品をより小型化できるようにするものである。
【課題を解決するための手段】
【０００９】
本発明はこうした課題を解決するため、以下の技術手段を構成する。
本発明のバッテリー着脱装置は、バッテリー収納部とバッテリーとの間に隙間なく収納可能に形成したバッテリー収納部の底面に対して垂直方向のロック溝を有するバッテリーをバッテリー収納部の底面に対し垂直方向に装着するバッテリー着脱装置において、該バッテリーに設けられたロック溝に係合するロック部と、該ロック部と連動するロック部の固定と該ロック部を作動させてロック解除する固定および解除部を有し、前記ロック部は、前記バッテリーに設けられたロック溝に係合するロック爪と、前記ロック爪を回転可能に支持する回転軸部と、該ロック溝とロック爪の係合が開放される方向に前記ロック爪を付勢するバネとで構成され、該ロック溝とロック爪の係合でバッテリーが装着され、バッテリー着脱装置の底面に前記バッテリーを取り出す方向に付勢するバネを有することを特徴とする。
【発明の効果】
【００１２】
上記にて説明された本発明により以下の効果がもたらされる。本発明に係るバッテリー着脱装置は、上述したような構成としているので、バッテリー装着時にバッテリーと本体との間に隙間を生じることなくバッテリーを収納することが出来る。
【００１３】
また、バッテリー収納部をバッテリーサイズで構成できることにより、バッテリー使用製品の小型化および意匠設計制限の緩和が可能となる。
また、バッテリー固定のロックや解除操作部により、バッテリー外れを防止し安心して機器の使用を行わせると共に、バッテリー交換などのバッテリー取外しも容易となる。
【発明を実施するための最良の形態】
【００１４】
本発明によるバッテリー着脱装置の実施形態の一例を図１乃至図３に基づいて以下に説明する。これらの図において点線は隠れる部分を示している。
【００１５】
図１は、本発明によるバッテリーとバッテリー着脱装置の斜視図である。
図２はバッテリーとバッテリー着脱装置の分解図の斜視図である。
１はバッテリー収納部、２はロック部材、３はロックばね、４は固定解除ツマミ、５は固定解除ツマミばね、６はねじ、７はバッテリー押しばね、８はバッテリー、９はロック連結軸であり、バッテリー着脱装置はこれらにより構成されている。
【００１６】
ロック部材２はバッテリー収納部１の嵌合穴１ａを介してロック連結軸９にねじ６にて固定されている。ロック部材２のロック爪材２Ｃがバッテリー収納部１の三ヶ月孔１ｇに外側から挿入される。
その状態でロックばね３は、コイル部３ａがバネ支持部２ａに、コイル端３ｂがバッテリー収納部１の凸部１ｂに、コイル端３ｃがロック凸部２ｂに係止される。
【００１７】
固定解除ツマミ４は、バッテリー収納部１の切り欠き部１ｃより下方へ挿入され、上下一対の固定解除ツマミ穴部４ｂに同じく上下一対のバッテリー収納部１の凸部１ｄが嵌合される。
その状態で固定解除ツマミばね５は、引掛け部５ａがバッテリー収納部１の凸部１ｅに、引掛け部５ｂが固定解除ツマミ凸部４ｄに係止される。それにより固定解除ツマミ４は、右方向に付勢される。
【００１８】
バッテリー押出しばね７は、その下端がバッテリー収納部１の中央部に圧入固定されている。次に、バッテリー８の装着方法について図２乃至図４と共に説明する。バッテリー８をバッテリー収納部１の開口部１ｆへ挿入する。そのとき、ロック部材２のロック爪部２ｃがバッテリー８のロック溝の垂直方向部８ａに導入される。
【００１９】
バッテリー８がバッテリー収納部１の底面方向へさらに挿入されるとロック部材２のロック爪部２ｃはバッテリー８のロック溝傾斜部８ｂに当接し、更に押込むことでロック溝傾斜部８ｂとロック溝水平部８ｃの接点部へ誘導され、ロック部材２が矢印Ａの方向に傾斜分だけ回転する。
【００２０】
ロック部材２の僅かな回転によりロック部材２の回転軸からロック爪部２ｃへ向かう方向がバッテリー８への押し圧方向から外れる。この状態で更にバッテリー８をバッテリー収納部１の底面方向へ押込むことで、ロック爪部２ｃは、図３記載のバッテリー収納部１のガイド溝１ｆに沿って押し下げられ、Ａ方向にさらに回転することになり、ロック爪部２ｃはロック溝水平部８ｃの終端部に位置することになる。
【００２１】
このときロック部材２の固定部２ｄも矢印Ａの方向に同時に回転し固定解除ツマミ４の右下傾斜部に当接し、固定解除ツマミ４は矢印Ｂの方向へ押しやられる。ロック部材２の固定部２ｄの先端が固定解除ツマミ４の切り欠き部４ｂの最下部と同位置になったとき固定解除ツマミばね５により矢印Ｂの反対方向に引き戻されロック部材２が固定される。
その結果、バッテリー８はバッテリー押出しばね７を付勢した状態でバッテリー収納装部１に固定される。
【００２２】
次にバッテリー８の取り外し方法について図４と共に説明する。
固定解除ツマミ４のツマミ部４ｃを矢印Ｃの方向へスライドさせることにより解除ツマミ本体４ａも同時に矢印Ｃの方向へ移動し、ロック部材２の固定部２ｄと固定解除ツマミ４の切り欠き部４ｂとの係合が解除される。
【００２３】
その結果、ロック部材２の反時計方向の回転が可能となり、ロック爪部２Ｃがロック溝水平部８Ｃの垂直位置に戻るとバッテリー８がバッテリー押しばね７により矢印Ｅ方向に押し出されると同時に、ロック部材２の固定部２ｄはロックばね３により矢印Ｄ方向へ回転しバッテリー８が取り出せる。
【００２４】
なお、上述したロック部材２は、バッテリー収納部１の対向する反対側面部分にも設置され、両方のロック部材２はロック連結軸９で連結されて、両方が共に回動する構成となっている。当然、バッテリー８の長手方向の反対側端面にも、ロック溝垂直方向部８ａ等が形成されており、同様に反対側のロック爪部２ｃが係合されることで、バッテリー８は長手方向両端でバッテリー着脱装置１に固定されることになる。
【産業上の利用可能性】
【００２５】
本発明は、薄型表示装置以外には、バッテリーを搭載する全ての電子機器におけるバッテリー着脱装置に利用可能である。
【図面の簡単な説明】
【００２６】
【図１】本発明によるバッテリー着脱装置の斜視図である。
【図２】本発明によるバッテリー着脱装置の機能分解斜視図である。
【図３】本発明によるバッテリー着脱装置のバッテリー取付け方法を説明する側面図である。
【図４】本発明によるバッテリー着脱装置のバッテリー取外し方法を説明する側面図である。
【図５】従来技術のバッテリー着脱装置の断面図である。
【図６】従来技術のバッテリー着脱装置の斜視図である。
【符号の説明】
【００２７】
１  バッテリー収納部
２  ロック部材
３  ロックばね
４  固定解除ツマミ
５  固定解除ツマミばね
６  ねじ
７  バッテリー押しばね
８  バッテリー
９  ロック連結軸
【図１】
0004698969.tif 000002
【図２】
0004698969.tif 000003
【図３】
0004698969.tif 000004
【図４】
0004698969.tif 000005
【図５】
0004698969.tif 000006
【図６】
0004698969.tif 000007